(57)【要約】【課題】タブレットＰＣ１０を取り付けても、重心の後方シフトが小さく、後傾・転倒のおそれが低いショッピングカート１を提供する。【解決手段】ショッピングカート１は、キャスター２を備えた基枠３と、基枠３から上方へ延びる支柱４と、支柱４に固定された前側上段のカゴ載せ部８及び後側中段のカゴ載せ部７とを含み構成され、さらにタブレットＰＣ１０が取り付けられている。ショッピングカート１のみの重心Ｃを通る鉛直線Ｖを中心とする半径１００ｍｍの水平な円の範囲内に、タブレットＰＣ１０の画面の中心Ｔが位置する。支柱４の上端部にハンドル５が設けられ、前記画面の中心Ｔはハンドル５の上端よりも高い位置にある。また、前記画面の中心Ｔは、ハンドル５の後端よりも１８０〜４００ｍｍ前方に位置し、地面から８５０〜１１５０ｍｍ上方に位置する。【選択図】図４
0003221069.tif 000002
【実用新案登録請求の範囲】
【請求項１】
タブレットＰＣ（１０）が取り付けられたショッピングカートにおいて、
ショッピングカート（１）のみの重心（Ｃ）を通る鉛直線（Ｖ）を中心とする半径１００ｍｍの水平な円の範囲内に、タブレットＰＣ（１０）の画面の中心（Ｔ）が位置することを特徴とするショッピングカート。
【請求項２】
前側上段のカゴ載せ部（８）と、後側中段のカゴ載せ部（７）とを含む請求項１記載のショッピングカート。
【請求項３】
キャスター（２）を備えた基枠（３）と、基枠（３）から上方へ延びる支柱（４）とを含む請求項１記載のショッピングカート。
【請求項４】
前記支柱（４）に固定された、前側上段のカゴ載せ部（８）と、後側中段のカゴ載せ部（７）とを含む請求項３記載のショッピングカート。
【請求項５】
前記支柱（４）の上端部にハンドル（５）が設けられ、タブレットＰＣ（１０）の画面の中心（Ｔ）はハンドル（５）の上端よりも高い位置にある請求項３又は４記載のショッピングカート。
【請求項６】
前記タブレットＰＣ（１０）の画面の中心（Ｔ）は、ハンドル（５）の後端よりも１８０〜４００ｍｍ前方に位置し、地面から８５０〜１１５０ｍｍ上方に位置する請求項５記載のショッピングカート。
【請求項７】
前記支柱（４）は左右に２本あり、左右の支柱（４）間に取付バー（１２）が架設され、取付バー（１２）に支持脚（１３）を介してタブレットＰＣ（１０）が取り付けられた請求項３〜６のいずれか一項に記載のショッピングカート。
【請求項８】
前記支柱（４）は左右に２本あり、左右の支柱（４）間に取付バー（１２）が架設され、取付バー（１２）に支持脚（１３）を介してタブレットＰＣ（１０）が取り付けられ、前記２本の支柱（４）の各上端部にハンドル（５）が設けられ、両ハンドル（５）の相互間は、ショッピングカートのネスティング時に支持脚（１３）を進入させて逃がすことができる間隙となっている請求項３又は４記載のショッピングカート。
【請求項９】
前記タブレットＰＣ（１０）の画面サイズは、７〜２０インチ（１７８〜５０８ｍｍ）である請求項１〜８のいずれか一項に記載のショッピングカート。
【考案の詳細な説明】
【技術分野】
【０００１】
本考案は、スーパーマーケット、コンビニ、ショッピングセンター等の販売店で買い物をする際に使用するショッピングカートに関する。
【背景技術】
【０００２】
近年、顧客に商品の情報を提供したり、顧客が商品を検索したりするために、ショッピングカートにタブレットＰＣ（パソコン）を取り付けることが提案されている。
【０００３】
特許文献１には、ハンドルにタブレットＰＣを載せたショッピングカートが開示されている。
特許文献２には、ハンドルに保持部によりタブレットＰＣを回動自在に支持したショッピングカートが開示されている。
特許文献３には、ハンドルに支持フレームに支持された状態でタブレットＰＣが設けられたショッピングカートが開示されている。
特許文献４には、ハンドルに対してタブレットＰＣを着脱可能に固定したショッピングカートが開示されている。
【先行技術文献】
【特許文献】
【０００４】
【特許文献１】特表２００６−５１２６３７号公報
【特許文献２】特開２０１２−２１８５０２号公報
【特許文献３】特開２０１５−１０９０６１号公報
【特許文献４】特開２０１７−２１７９２１号公報
【考案の概要】
【考案が解決しようとする課題】
【０００５】
ところで、ショッピングカートは、安定性を確保するために、重心の位置が前又は後に偏りすぎないように設計されている。しかし、上記従来の提案のように、ショッピングカートの最後部又は最後部に近い所にあるハンドルにタブレットＰＣを取り付けると、ショッピングカートのみの重心に対して、タブレットＰＣの重量により、ショッピングカートとタブレットＰＣとを合わせた（以下「ショッピングカート＋タブレットＰＣ」と記す。）重心が後方へシフトするため、次のように安定性が損なわれる問題があった。
【０００６】
（ア）ショッピングカートのほとんどは、前側上段のカゴ載せ部と、前側下段のカゴ載せ部とを備えており、多くの顧客は第１に前側上段のカゴ載せ部に買物カゴを載せ、買物カゴの中に商品を入れて買物をする。このように、前側上段のカゴ載せ部の上に買物カゴと商品がある買物中は、その重さで全体の重心が前方へシフトして、上記タブレットＰＣによる重心の後方シフトを相殺するため、安定性は保たれる。しかし、カゴ載せ部に買物カゴを載せていない空の時には、上記タブレットＰＣによる重心の後方シフトで、ショッピングカートが後傾しやすくなり、走行中に転倒のおそれがある。
【０００７】
（イ）最近、上記（ア）の２つのカゴ載せ部に加え、後側中段のカゴ載せ部を備えたショッピングカートが増えてきている。このショッピングカートも、上記（ア）と同様、空の時には上記タブレットＰＣによる重心の後方シフトで後傾・転倒のおそれがある。また、顧客が、前側上段のカゴ載せ部と後側中段のカゴ載せ部に２つの買物カゴを載せて買物をする場合はあまり問題とならないが、後側中段のカゴ載せ部のみに買物カゴを載せ商品を入れて買物をする場合には、その重さで全体の重心が後方へシフトするのに加え、上記タブレットＰＣによる重心の後方シフトがあるため、後傾・転倒のおそれがある。ハンドルに買物袋やカバンを引っ掛けている場合には、さらに後傾・転倒のおそれが高まる。
【０００８】
（ウ）上記（イ）のように後側中段のカゴ載せ部を備える場合、同カゴ載せ部の後部上方に、ハンドルに取り付けられたタブレットＰＣが位置するため、同カゴ載せ部に買物カゴを置こうとする時にタブレットＰＣが干渉して、買物カゴを置きにくい。
【０００９】
そこで、本考案の目的は、タブレットＰＣを取り付けても、重心の後方シフトが小さく、後傾・転倒のおそれが低いショッピングカートを提供することにある。
【課題を解決するための手段】
【００１０】
本考案は、タブレットＰＣが取り付けられたショッピングカートにおいて、ショッピングカートのみの重心を通る鉛直線を中心とする半径１００ｍｍの水平な円の範囲内に、タブレットＰＣの画面の中心が位置することを特徴とする。「鉛直線」及び「円」は仮想のものである（以下同じ）。
【００１１】
ここで、ショッピングカートは、前側上段のカゴ載せ部と、後側中段のカゴ載せ部とを含むものが好ましい。
【００１２】
また、ショッピングカートは、キャスターを備えた基枠と、基枠から上方へ延びる支柱とを含むものが好ましい。この場合、前記支柱に固定された、前側上段のカゴ載せ部と、後側中段のカゴ載せ部とを含むものがより好ましい。
【００１３】
また、前記支柱の上端部にハンドルが設けられ、タブレットＰＣの画面の中心は前記ハンドルの上端よりも高い（例えば５０〜２５０ｍｍほど高い）位置にあることが好ましい。
また、タブレットＰＣの画面の中心は、ハンドルの後端よりも１８０〜４００ｍｍ前方に位置し、地面から８５０〜１１５０ｍｍ上方に位置することが好ましい。タブレットＰＣの視認性が高く、また操作しやすいからである。
また、前記支柱は左右に２本あり、左右の支柱間に取付バーが架設され、取付バーに支持脚を介してタブレットＰＣが取り付けられた構造が好ましい。この場合、前記２本の支柱の各上端部にハンドルが設けられ、両ハンドルの相互間は、ショッピングカートのネスティング時に支持脚を進入させて逃がすことができる間隙となっていることが好ましい。
【００１４】
＜作用＞
本考案によれば、ショッピングカートのみの重心を通る鉛直線を中心とする半径１００ｍｍの水平な円の範囲内に、タブレットＰＣの画面の中心が位置するので、ショッピングカートのみの重心に対して、タブレットＰＣの重量により、ショッピングカート＋タブレットＰＣの重心が後方へシフトする量が従来よりも小さい。そのため、タブレットＰＣを取り付けても、ショッピングカートが後傾しやすくなることはほとんどない。
【００１５】
また、ショッピングカートが前側上段のカゴ載せ部と後側中段のカゴ載せ部とを含む場合、タブレットＰＣは、後側中段のカゴ載せ部の後部よりも前の方の上方位置に位置するため、後側中段のカゴ載せ部に買物カゴを置こうとする時にタブレットＰＣが干渉しない。
【考案の効果】
【００１６】
本考案のショッピングカートによれば、タブレットＰＣを取り付けても、重心の後方シフトが小さく、後傾・転倒のおそれが低いという優れた効果を奏する。
【図面の簡単な説明】
【００１７】
【図１】実施例のショッピングカートを前側から見た斜視図である。
【図２】同ショッピングカートを後側から見た斜視図である。
【図３】同ショッピングカートの平面図である。
【図４】同ショッピングカートの側面図である。
【図５】同ショッピングカートに買物カゴを載せた時の側面図である。
【考案を実施するための形態】
【００１８】
１．タブレットＰＣ
タブレットＰＣの画面サイズは、特に限定されないが、（通用の対角線サイズにおいて）７〜２０インチ（１７８〜５０８ｍｍ）が好ましく、８〜１４インチ（２０３〜２５６ｍｍ）がより好ましい。７インチ以上（従って重量が大きい）タブレットＰＣを取り付ける場合に本考案の効果が特に大きいからであり、２０インチを超えると大きすぎて邪魔になるからである。タブレットＰＣの画面の形状は、特に限定されず、例えば長方形でも正方形でもよい。長方形の場合、ショッピングカートへの取付後に横長でもよいし縦長でもよい。
【００１９】
２．タブレットＰＣの取付構造
タブレットＰＣのショッピングカートへの取付構造は、特に限定されないが、上記のように、左右の支柱間に取付バーが架設され、取付バーに支持脚を介してタブレットＰＣが取り付けられた構造が好ましい。支持脚は１本でもよいし、２本以上でもよい。その他、左右の支柱に支持脚を介してタブレットＰＣが取り付けられた構造も例示できる。
【００２０】
３．タブレットＰＣと重心との位置関係
前記のとおり、ショッピングカートのみの重心を通る鉛直線を中心とする半径１００ｍｍの水平な円の範囲内に、タブレットＰＣの画面の中心が位置するようにするが、この半径は、７０ｍｍとすることが好ましく、５０ｍｍとすることがより好ましい。この鉛直線にタブレットＰＣの画面の中心が近いほど、タブレットＰＣによる重心の後方シフトが小さいからである。
【実施例】
【００２１】
次に、実施例のカートゲート１について、図１〜図４を参照して説明する。但し、説明する各部の構造、形状、数値等は例示であり、考案の趣旨を逸脱しない範囲で適宜変更できる。
【００２２】
本実施例のショッピングカート１は、キャスター２を備えた基枠３と、基枠３から上方へ延びる左右の支柱４と、左右の支柱４の上端から延びるハンドル５と、基枠３に固定された下段のカゴ載せ部６と、左右の支柱４に固定された後側中段のカゴ載せ部７及び前側上段のカゴ載せ部８とを含み構成され、さらにタブレットＰＣ１０が取り付けられている。
【００２３】
基枠３は、曲げ加工された金属パイプよりなり、前枠部と、前枠の端部から後方へ延びる左右の側枠部とを含む。
【００２４】
左右の支柱４はそれぞれ、曲げ加工された金属パイプよりなり、下から上へ順に、縦に延びる下部と、下部の上端から斜め前上方へ延びる中間部と、中間部の上端から斜め後上方へ延びる上部とからとから構成されている。
【００２５】
ハンドル５は、支柱４と連続する金属パイプからなり、左右の支柱４の上部の各上端部から内側へ折曲形成されている。金属パイプには樹脂グリップが被せられている。両ハンドル５の相互間は、ショッピングカート１のネスティング時に後述する支持脚１３を進入させて逃がすことができる間隙となっている。これにより、ネスティング寸法（ピッチ）を短くすることができ、収納上有利となる。
【００２６】
下段のカゴ載せ部６は、基枠３の後部に固定された後フレームと、後フレームに固定されて前方へ延びる底フレームと、底フレームの前端から上方へ屈曲形成された前フレームと、側フレームとしても働く基枠３の側枠部とから構成されている。下段のカゴ載せ部６は、一般的な平面視長方形の買物カゴＢを、その長辺を前後方向にして載せるようになっている。
【００２７】
後側中段のカゴ載せ部７は、支柱４の下部及び中間部に固定された前ステー、中間ステー及び後ステーに固定された底板として働くメッシュ状板と、側枠としても働く後ステーと、中間部に固定された前枠とから構成されている。メッシュ状板は、フラット形状であるが、前側が下がる傾斜姿勢で固定されている。後側中段のカゴ載せ部７は、一般的な平面視長方形の買物カゴＢを、その長辺を左右方向にして載せるようになっている。
【００２８】
前側上段のカゴ載せ部８は、支柱４の中間部と上部との境界付近に固定された、底部と側部と前部とをなす籠状のバスケットと、支柱４の上部に回動可能に取り付けられた後あおり壁とから構成されている。前側上段のカゴ載せ部８は、一般的な平面視長方形の買物カゴＢを、その長辺を左右方向にして載せるようになっている。
【００２９】
以上のように構成されたショッピングカート１のみの重心Ｃは、図４に示すように、後側中段のカゴ載せ部７の前端部のすぐ上にあり、図３に示すように、平面視ではショッピングカート１の左右方向の中央にある。
【００３０】
さて、タブレットＰＣ１０は、画面が長方形状をなし、画面サイズが９〜１３インチのものである。タブレットＰＣ１０の裏面には充電可能な電源装置１１が取り付けられている。タブレットＰＣ１０は、商品の情報を表示して顧客に提供する機能、顧客が商品を検索する機能、会計機能、店員を呼び出す機能、ゲーム機能などの各種の機能を果たすための装置を備えている。
【００３１】
支柱４の上部の中央付近の間に取付バー１２が架設されており、取付バー１２に支持脚１３を介してタブレットＰＣ１０が取り付けられている。支持脚１３は取付バー１２の中央から上方へ延びる１本のものであり、取付バー１２に対してはネジで締付けられたブラケット１４で取り付けられており、タブレットＰＣ１０に対しては裏面の中央部にネジで接合されている。タブレットＰＣ１０は前側が上がる傾斜姿勢で固定され、よって画面は上向き且つ斜め後向きとなっており横長とされている。支持脚１３があることにより、ハンドル５の上端よりも、タブレットＰＣ１０の画面の中心Ｔの方が８０〜１９０ｍｍほど高い。
【００３２】
また、タブレットＰＣ１０の画面の中心Ｔは、ハンドル５の後端よりも２２０〜３００ｍｍ前方に位置し、地面から９５０〜１１５０ｍｍ上方に位置する。このため、タブレットＰＣ１０の視認性が高く、また操作しやすい。
【００３３】
このようにタブレットＰＣ１０が取り付けられたことにより、ショッピングカート１のみの重心を通る鉛直線Ｖを中心とする半径１００ｍｍ（さらには半径７０ｍｍ）の水平な円の範囲内に、タブレットＰＣ１０の画面の中心Ｔが位置する。図示例では、同鉛直線ＶとタブレットＰＣ１０の画面の中心Ｔとは、２０〜５０ｍｍほどしか離れていない。
【００３４】
このため、ショッピングカート１＋タブレットＰＣ１０の重心Ｃ＋は、図４に示すように、タブレットＰＣ１０の重量により、ショッピングカート１のみの重心Ｃに対して、上方へ２２０〜２８０ｍｍシフトしており、後方へは２０〜３５ｍｍしかシフトしておらず、左右方向にはシフトしていない（左右方向の中央のまま）。
【００３５】
このように、本実施例は、ショッピングカート１のみの重心Ｃを通る鉛直線Ｖを中心とする半径１００ｍｍの水平な円の範囲内に、タブレットＰＣ１０の画面の中心Ｔが位置するので、ショッピングカート１のみの重心Ｃに対して、ショッピングカート１＋タブレットＰＣ１０の重心Ｃ＋が後方へシフトする量が従来よりも小さい。そのため、タブレットＰＣ１０を取り付けても、ショッピングカート１は安定しており、後傾・転倒しやすくなることはほとんどない。
【００３６】
また、図５に示すように、顧客が、前側上段のカゴ載せ部８と後側中段のカゴ載せ部７に２つの買物カゴＢを載せて買物をする場合に後傾・転倒のおそれがことは勿論のこと、後側中段のカゴ載せ部７のみに買物カゴＢを載せ商品を入れて買物をする場合にも、後傾・転倒のおそれがほとんどない。ハンドル５に買物袋やカバンを引っ掛けている場合でも、後傾・転倒のおそれは低い。
【００３７】
また、タブレットＰＣ１０は、後側中段のカゴ載せ部７の後部よりも前の方の上方位置に位置するため、後側中段のカゴ載せ部７に買物カゴＢを置こうとする時にタブレットＰＣ１０が干渉しない。
【００３８】
なお、本考案は前記実施例の構成に限定されるものではなく、考案の趣旨から逸脱しない範囲で、適宜変更して具体化することもできる。
【符号の説明】
【００３９】
１    ショッピングカート
２    キャスター
３    基枠
４    支柱
５    ハンドル
６    下段のカゴ載せ部
７    後側中段のカゴ載せ部
８    前側上段のカゴ載せ部
１０    タブレットＰＣ
１１    電源装置
１２    取付バー
１３    支持脚
１４    ブラケット
Ｂ    買物カゴ
Ｃ    ショッピングカートのみの重心
Ｃ＋  ショッピングカート＋タブレットＰＣの重心
Ｔ    タブレットＰＣの画面の中心
Ｖ    鉛直線
【図１】
0003221069.tif 000003
【図２】
0003221069.tif 000004
【図３】
0003221069.tif 000005
【図４】
0003221069.tif 000006
【図５】
0003221069.tif 000007